(57)【要約】【課題】様々なピッチのコの字状のジャンパ線を作業効率良く製作することができるジャンパ線製作器を提供する。【解決手段】本発明のジャンパ線製作器は、ハンドルと、ハンドルベースと、ハンドルの下に配置し、固定具を中心に回動自在に取り付けるドライバとを有する。ドライバは、固定具を中心に放射方向に配置する複数の腕を備え、各腕は下面に線材成形部Ａを配置し、線材成形部Ａは、腕を選択することにより異なるピッチのジャンパ線に成形するように、腕毎にサイズが異なる。ハンドルベースの上面には、ハンドルを押し下げたとき、線材成形部Ａが到達する位置に線材成形部Ｂを配置し、線材成形部Ａ及び線材成形部Ｂは、いずれか一方が凹状部を備え、他方が凹状部の内側に収まる凸状部を備える。【選択図】図１
2019153765.tif 000002
【特許請求の範囲】
【請求項１】
ハンドルをハンドルベースに押し下げることにより、線材を所定のピッチを有するコの字状のジャンパ線に成形するジャンパ線製作器であって、
ハンドルと、
ハンドルの下に配置し、ハンドルの一端と回動自在に連結するハンドルベースと、
ハンドルの下に配置し、固定具を中心に回動自在に取り付けるドライバと
を有し、
ドライバは、固定具を中心に放射方向に配置する複数の腕を備え、
各腕は、下面に線材成形部Ａを配置し、線材成形部Ａは、腕を選択することにより異なるピッチのジャンパ線に成形するように、腕毎にサイズが異なり、
ハンドルベースの上面には、ハンドルを押し下げたとき、ハンドルの下に配置する線材成形部Ａが到達する位置に線材成形部Ｂを配置し、
線材成形部Ａ及び線材成形部Ｂは、いずれか一方が凹状部を備え、他方が前記凹状部の内側に収まる凸状部を備えるジャンパ線製作器であり、
ジャンパ線を製作するときは、
製作するジャンパ線のピッチに合った線材成形部Ａを備える腕を選択し、
選択した腕がハンドルの下に配置するように、ドライバを固定具によりハンドルに固定し、
選択した線材成形部Ａのサイズに合った線材成形部Ｂをハンドルベースに取り付け、
線材成形部Ａと線材成形部Ｂとを離した状態で、所定の長さの線材を線材成形部Ｂ上に載置し、
ハンドルを押し下げ、線材成形部Ａと線材成形部Ｂにおける凸状部が凹状部に線材を挟んだ状態で緩挿することにより線材をコの字状に成形し、
ハンドルを引き上げる
ことを特徴とするジャンパ線製作器。
【請求項２】
ドライバは、３本〜５本の腕を備える請求項１に記載のジャンパ線製作器。
【請求項３】
ハンドルは、下面に凹部又は凸部を有し、ドライバは、上面に凸部又は凹部を有し、選択した腕がハンドルの下に配置するように、ドライバを固定具によりハンドルに固定すると、前記凹部に前記凸部が嵌合する請求項１又は２に記載のジャンパ線製作器。
【請求項４】
線材成形部Ｂは、線材を載置する位置に溝を有する請求項１〜３のいずれかに記載のジャンパ線製作器。
【請求項５】
線材成形部Ａ及び線材成形部Ｂにおける凸状部は、天面が曲面である請求項１〜４のいずれかに記載のジャンパ線製作器。
【発明の詳細な説明】
【技術分野】
【０００１】  本発明は、コの字状のジャンパ線を製作するジャンパ線製作器に関し、特に、異なるピッチのジャンパ線を効率よく製作することができ、小型、軽量で構造がシンプルなジャンパ線製作器に関する。
【背景技術】
【０００２】  ジャンパ線は、ユニバーサル基板、プリント基板又は制御盤等において、離れた電気回路間をつなぐことにより、電路にショートカット（ジャンプ）を設けるときに使用する。ユニバーサル基板等は、部品を取り付けるためのランドが縦横に整然と配置し、隣り合うランド間の距離（ピッチ）は、０．１ｉｎピッチ（２．５４ｍｍピッチ）、１．８７ｍｍピッチ、２．５ｍｍピッチ、４ｍｍピッチ等があり、多種類である。【０００３】  このため、０．１ｉｎピッチの基板にコの字状のジャンパ線を接続する場合、ジャンパ線の隣り合う２本の足の間隔（ピッチ）は、接続するランド間の距離に合わせて、０．１ｉｎピッチ、０．２ｉｎピッチ、０．３ｉｎピッチ、０．４ｉｎピッチ等の様々なピッチのジャンパ線を用意する必要がある。したがって、０．１ｉｎピッチ以外の基板に使用する場合も併せて考慮すると、ピッチの異なる種々のジャンパ線が必要になる。【０００４】  連続したワイヤを切断して、コの字状のジャンパ線を製作するジャンパ線製作器が知られている（特許文献１参照）。このジャンパ線製作器は、まず、連続したワイヤを、ジャンパ線の形成に必要な長さだけ案内筒の前方に突き出し、後退防止機構によりワイヤの後退を防止しながら、ワイヤ保持機構によりワイヤを固定し、所定の長さにワイヤを切断する。次に、切断した部分ワイヤの両端をパンチにより直角に折り曲げてコの字状のジャンパ線を製作し、その後、製作したジャンパ線を排出する。
【先行技術文献】
【特許文献】
【０００５】
【特許文献１】特開平１１−１９５８９８号公報
【発明の概要】
【発明が解決しようとする課題】
【０００６】  特許文献１に記載されたジャンパ線製作器は、ピッチの異なるジャンパ線を製作するときに、その都度、製作するジャンパ線のピッチに合わせて、前方筒及びパンチ等の位置を調整する必要がある。したがって、様々なピッチのコの字状のジャンパ線を製作する場合には、作業効率が低下する。また、特許文献１に記載されたジャンパ線製作器では、機構上、ジャンパ線を一度に１本ずつ順次製作するため、作業性が低い。さらに、実験室や研究室等のデスク上でジャンパ線を簡易に製作するときは、特許文献１に記載されたジャンパ線製作器より、機械構造が簡単で、小型かつ軽量の製作器の方が好ましい。【０００７】  本発明の課題は、様々なピッチのコの字状のジャンパ線を製作する場合においても、作業効率が高く、必要に応じて複数本のジャンパ線をまとめて製作できるジャンパ線製作器を提供することにある。また、本発明は、機械構造が簡単で、小型かつ軽量のジャンパ線製作器を提供することを課題とする。
【課題を解決するための手段】
【０００８】  本発明のジャンパ線製作器は、ハンドルをハンドルベースに押し下げることにより、線材を所定のピッチを有するコの字状のジャンパ線に成形する。このジャンパ線製作器は、ハンドルと、ハンドルの下に配置し、ハンドルの一端と回動自在に連結するハンドルベースと、ハンドルの下に配置し、固定具を中心に回動自在に取り付けるドライバとを有する。ドライバは、固定具を中心に放射方向に配置する複数の腕を備え、各腕は、下面に線材成形部Ａを配置し、線材成形部Ａは、腕を選択することにより異なるピッチのジャンパ線に成形するように、腕毎にサイズが異なる。ハンドルベースの上面には、ハンドルを押し下げたとき、ハンドルの下に配置する線材成形部Ａが到達する位置に線材成形部Ｂを配置する。線材成形部Ａ及び線材成形部Ｂは、いずれか一方が凹状部を備え、他方が凹状部の内側に収まる凸状部を備える。【０００９】  ジャンパ線を製作するときは、製作するジャンパ線のピッチに合った線材成形部Ａを備える腕を選択し、選択した腕がハンドルの下に配置するように、ドライバを固定具によりハンドルに固定する。また、選択した線材成形部Ａのサイズに合った線材成形部Ｂをハンドルベースに取り付け、線材成形部Ａと線材成形部Ｂとを離した状態で、所定の長さの線材を線材成形部Ｂ上に載置する。次に、ハンドルを押し下げ、線材成形部Ａと線材成形部Ｂにおける凸状部が凹状部に線材を挟んだ状態で緩挿することにより線材をコの字状に成形し、ハンドルを引き上げる。【００１０】  したがって、ドライバの腕を選択し、ハンドルに固定し、線材成形部Ｂを取り付けた後、ハンドルを押し下げるという簡易な操作により、様々なピッチのコ字状のジャンパ線を製作できる。また、他のピッチのジャンパ線は、他のドライバに取り換えることにより容易に製作することができる。このため、様々なピッチのコの字状のジャンパ線を作業効率良く製作することができる。一方、線材成形部Ａは、各腕が伸びる放射方向に向かって幅を持たせ、線材成形部Ａのサイズに合った線材成形部Ｂを使用することにより、複数の線材を線材成形部Ｂ上に載置して、一度に複数本の同一ピッチのジャンパ線を製作することができる。また、本発明のジャンパ線製作器は、ハンドルと、ハンドルベースと、ドライバと、を主要構成要素とし、機械構造が簡単で、小型かつ軽量である。【００１１】  ドライバの腕の数は、異なるピッチのコの字状のジャンパ線を、作業効率良く製作する点で、３本以上が好ましい。一方、腕の数を多くすると、ドライバの構造が複雑になり、重量も大きくなるため、腕の数は、５本以下が好ましい。ハンドルは、下面に凹部又は凸部を有し、ドライバは、上面に凸部又は凹部を有し、選択した腕がハンドルの下に配置するように、ドライバを固定具によりハンドルに固定すると、凹部に凸部が嵌合する態様が好ましい。かかる態様は、固定具により固定するとき、ハンドルとドライバとの位置決めが行い易く、固定した後、ハンドルとドライバのズレを抑えることができる。【００１２】  線材成形部Ｂが、線材を載置する位置に溝を有する態様は、線材を所定の位置に保持するため、コの字状のジャンパ線を製作する上で有利である。線材成形部Ａ及び線材成形部Ｂ��おける凸状部の天面が曲面である態様は、コの字状のジャンパ線の隣り合う２本の足をつなぐ線が曲線であるジャンパ線を容易に製作することができる点で好ましい。
【発明の効果】
【００１３】  本発明によれば、様々なピッチのコの字状のジャンパ線を作業効率良く製作することができる。また、一度に複数本の同一ピッチのジャンパ線を製作することができる。本発明のジャンパ線製作器は、ハンドルと、ハンドルベースと、ドライバと、を主要構成要素とし、機械構造が簡単で、小型かつ軽量である。
【図面の簡単な説明】
【００１４】
【図１】本発明のジャンパ線製作器の構造を示す概念図である。
【図２】本発明のジャンパ線製作器におけるハンドルとドライバの構成を示す概念図である。
【図３】本発明のジャンパ線製作器において、ハンドルベースに線材成形部Ｂを取り付ける方法を示す概念図である。
【図４】本発明のジャンパ線製作器における線材成形部Ａと線材成形部Ｂの構成を示す概念図である。
【発明を実施するための形態】
【００１５】  図１は、本発明のジャンパ線製作器の構造を示す概念図である。本発明のジャンパ線製作器は、図１に示すように、ハンドル１と、ハンドルベース２と、ドライバ３と、固定具４と、を備え、ハンドル１をハンドルベース２に押し下げることにより、線材を所定のピッチを有するコの字状のジャンパ線に成形する。所定のピッチを有するコの字状のジャンパ線とは、コの字状に成形したジャンパ線の隣り合う２本の足の間隔が所定のピッチであるジャンパ線をいう。
【００１６】  ハンドルベース２は、ハンドル１の下に配置し、ハンドル１の一端と回動自在に連結する。図１に示す例では、ハンドル１とハンドルベース２とは、軸１ａにより回動自在に連結する。また、ハンドル１をハンドルベース２に向かって押し下げないときは、ハンドル１がハンドルベース２から離れた状態で保持されるように、板バネ１ｂを配置している。板バネ１ｂのほか、スプリング等の付勢材料を好ましく使用することができる。
【００１７】  ドライバ３は、ハンドル１の下に配置し、固定具４を中心に回動自在に取り付けられる。固定具４は、ドライバ３とハンドル１とを固定する機能を有するが、固定具４を緩めると、ドライバ３は、固定具４を中心に回動自在に保持され、固定具４をさらに緩めると、ハンドル１からドライバ３を分離することができ、新しいドライバと交換することができる。
【００１８】  ドライバ３は、固定具４を中心に放射方向に配置する複数の腕３ｂ，３ｃを備える。図１には、ドライバ３が４本の腕を備える例を示す。各腕は、下面に線材成形部Ａ（図中の３ａ１，３ｂ１）を配置し、線材成形部Ａは、腕を選択することによって異なるピッチのジャンパ線に成形するように、腕毎にサイズが異なる。また、ハンドルベース２の上面には、ハンドル１を押し下げたとき、ハンドル１の下に配置する線材成形部Ａ（図中の３ａ１）が到達する位置に線材成形部Ｂ（図中の５）を配置する。線材成形部Ａ及び線材成形部Ｂは、いずれか一方が凹状部を備え、他方が凹状部の内側に収まる凸状部を備える。図１に例示するジャンパ線製作器では、線材成形部Ａが凹状部を備え、線材成形部Ｂが凸状部を備えるが、線材成形部Ａが凸状部を備え、線材成形部Ｂが凹状部を備える態様でも、本発明の効果を得ることができる。
【００１９】  ジャンパ線を製作するときは、製作するジャンパ線のピッチに合った線材成形部Ａを備える腕を選択し、選択した腕がハンドル１の下に配置するように、ドライバ３を固定具４によりハンドル１に固定する。また、選択した線材成形部Ａのサイズに合った線材成形部Ｂをハンドルベース２に取り付け、線材成形部Ａと線材成形部Ｂとを離した状態で、予め所定の長さに切断した線材を線材成形部Ｂ上に載置する。その後、ハンドル１を押し下げ、線材成形部Ａと線材成形部Ｂにおける凸状部が凹状部に線材を挟んだ状態で緩挿することにより線材をコの字状に成形し、ハンドル１を引き上げることにより、所定のピッチのジャンパ線を製作する。成形後、必要に応じてジャンパ線の足の長さを切り揃えることができる。
【００２０】  図４は、本発明のジャンパ線製作器における線材成形部Ａと線材成形部Ｂの構成を示す概念図である。図４（ａ）に示す例では、ドライバの腕３ａの下面に配置する線材成形部Ａ（図中の３ａ１）には凹状部があり、ハンドルベース２の上面に配置する線材成形部Ｂ（図中の５ａ）には凸状部がある。線材成形部Ｂ上に線材６を載置し、ハンドルを押し下げることにより、凸状部が凹状部に線材を挟んだ状態で緩挿し、線材をコの字状に成形する。緩挿するとは、ゆるやかに挿入すること、すなわち挿入した後の状態がゆるやかになるように差し入れることをいう。成形後のジャンパ線は、成形部に付着する傾向があるが、図４（ａ）に示すように、緩挿することにより、線材成形部Ａ（図中の３ａ１）と線材成形部Ｂ（図中の５ａ）との間で、線材６は空間的に余裕のある状態にあり、ジャンパ線を取り出しやすくなる。また、緩挿することにより、コの字状のジャンパ線の屈曲部の断線を抑えることができる。
【００２１】  図２は、本発明のジャンパ線製作器におけるハンドルとドライバの構成を示す概念図である。図２に示すように、ドライバは、ハンドル１の下に配置し、固定具４を中心に回動自在に取り付けられる。また、図２に示す例では、ドライバは、固定具４を中心に放射方向に配置する４本の腕３ａ，３ｂ，３ｃ，３ｄを備え、各腕は、下面に線材成形部Ａ（図中の３ａ１，３ｂ１，３ｃ１，３ｄ１）を配置する。
【００２２】  図２に示す例では、線材成形部Ａ（図中の３ａ１）は、０．５ｉｎピッチのジャンパ線に成形することができ、線材成形部Ａ（図中の３ｂ１）は、０．２ｉｎピッチのジャンパ線に成形することができる。また、線材成形部Ａ（図中の３ｃ１）は、０．３ｉｎピッチのジャンパ線に成形することができ、線材成形部Ａ（図中の３ｄ１）は、０．４ｉｎピッチのジャンパ線に成形することができる。したがって、線材成形部Ａは、腕を選択することにより、異なるピッチのジャンパ線に成形するように、腕毎にサイズが異なる。
【００２３】  ジャンパ線を製作するときは、製作するジャンパ線のピッチに合った線材成形部Ａを備える腕を選択し、選択した腕がハンドルの下に配置するように、ドライバを固定具によりハンドルに固定する。ハンドルベースには、選択した線材成形部Ａのサイズに合った線材成形部Ｂを取り付け、所定の長さの線材を線材成形部Ｂ上に載置し、ハンドルを押し下げて、線材をコの字状に成形する。したがって、ドライバの腕を選択し、ハンドルに固定し、線材成形部Ｂを取り付けた後、ハンドルを押し下げるという簡易な操作により、様々のピッチのコ字状のジャンパ線を製作できる。
【００２４】  図２の例では、０．２ｉｎピッチのジャンパ線、０．３ｉｎピッチのジャンパ線、０．４ｉｎピッチのジャンパ線と０．５ｉｎピッチのジャンパ線を簡易な操作で製作することができる。また、他のピッチのジャンパ線は、他のドライバに取り換えることにより容易に製作することができる。したがって、様々なピッチのコの字状のジャンパ線を作業効率良く製作することができる。
【００２５】  図２に示すジャンパ線製作器では、線材成形部Ａ（図中の３ａ１）のように、線材成形部Ａを、腕３ａの下面の一部に配置する。また、線材成形部Ａ（図中の３ｂ１）のように、腕３ｂの下面の全面に配置することもできる。線材成形部Ａは、各腕が伸びる放射方向に向かって幅を持たせ、線材成形部Ａのサイズに合った線材成形部Ｂを使用することにより、複数の線材を線材成形部Ｂ上に載置して、一度に複数本の同一ピッチのジャンパ線を製作することができるため、作業効率を高めることができる。
【００２６】  本発明のジャンパ線製作器は、図１に例示するように、ハンドル１と、ハンドルベース２と、ドライバ３と、を主要構成要素とし、機械構造が簡単で、事務用品として使用する中型程度のステープラーと同様に、小型かつ軽量である。したがって、実験室や研究室等のデスク上で、誰でも平易にジャンパ線を製作することができる。
【００２７】  ドライバは、固定具を中心に放射方向に配置する複数の腕を備える。腕の数は、異なるピッチのコの字状のジャンパ線を、作業効率良く製作する点で、３本以上が好ましい。一方、腕の数を多くすると、ドライバの構造が複雑になり、重量も大きくなる。このため、腕の数は、５本以下とし、他のピッチのジャンパ線は、他のドライバに取り換えることにより制作する態様が好ましい。
【００２８】  ハンドルは、下面に凹部又は凸部を有し、ドライバは、上面に凸部又は凹部を有し、選択した腕がハンドルの下に配置するように、ドライバを固定具によりハンドルに固定すると、凹部に凸部が嵌合する態様が好ましい。かかる態様は、固定具により固定するとき、ハンドルとドライバとの位置決めを行い易く、固定した後、ハンドルとドライバのズレを抑えることができる。図２には、ハンドル１が下面に凹部（図示していない。）を有し、ドライバが上面に凸部７を有する態様を例示する。配置する凸部としては、固定式の突起のほか、板バネ又はボールプランジャーを好ましく使用することができる。
【００２９】  図３は、本発明のジャンパ線製作器において、ハンドルベースに線材成形部Ｂを取り付ける方法を示す概念図である。図３（ａ）は、取り付ける方法を示し、図３（ｂ）、図３（ｃ）、図３（ｄ）と図３（ｅ）は、取り付ける線材成形部Ｂの種類を示す。図３（ａ）に示すように、所定の長さに切断した線材６を、矢印１０に沿って線材成形部Ｂ（図中の５）上に載置した後、線材６をコの字状に成形する。したがって、線材成形部Ｂの幅Ｗによりコの字状のジャンパ線のピッチが決まる。幅Ｗの相違により、図３（ｂ）に例示する線材成形部Ｂは、０．２ｉｎピッチのジャンパ線に成形し、図３（ｃ）に例示する線材成形部Ｂは、０．３ｉｎピッチのジャンパ線に成形することができる。また、図３（ｄ）に例示する線材成形部Ｂは、０．４ｉｎピッチのジャンパ線に成形し、図３（ｅ）に例示する線材成形部Ｂは、０．５ｉｎピッチのジャンパ線に成形することができる。
【００３０】  これらの線材成形部Ｂのうち、線材成形部Ａのサイズに合った線材成形部Ｂをハンドルベースに取付ける。図３（ａ）は、線材成形部Ｂ（図中の５）の底部の形状に合わせて、ハンドルベース２に空孔部２ａを形成し、線材成形部Ｂ（図中の５）を、ハンドルベース２に水平方向（矢印９の方向）に挿入して取り付ける態様を例示する。空孔部２ａには、ボールプランジャー２ｂが設けられ、線材成形部Ｂの底面には、線材成形部Ｂを挿入した後、ボールプランジャー２ｂが配置する位置に孔部（図示していない。）が設けられているため、コの字状のジャンパ線を形成するときに、線材成形部Ｂの位置を保持することができる。
【００３１】  図３に示す例では、線材成形部Ｂ（図中の５）は、線材を載置する位置に溝５ｂを有し、線材を所定の位置に保持するため、所定のピッチを有するコの字状のジャンパ線を製作する上で有利である。溝５ｂを複数有する態様は、一度に同一ピッチのジャンパ線を製作する上で好ましい。また、溝５ｂを複数有する態様においても、そのうちの１本の溝のみを使用してジャンパ線を製作することも可能である。
【００３２】  図４は、本発明のジャンパ線製作器における線材成形部Ａと線材成形部Ｂの構成を示す概念図である。図４（ｂ）に示す例では、ドライバの腕３ｅの下面に配置する線材成形部Ａ（図中の３ｅ１）には凹状部があり、ハンドルベース２の上面に配置する線材成形部Ｂ（図中の５ｅ）には凸状部がある。また、図４（ｂ）では、線材成形部Ｂ（図中の５ｅ）における凸状部は、天面が曲面である。線材成形部Ｂ上に線材６を載置し、ハンドルを押し下げることにより、凸状部が凹状部に線材を挟んだ状態で緩挿し、線材をコの字状に成形する。得られるコの字状のジャンパ線は、隣り合う２本の足をつなぐ線が曲線であり、かかるジャンパ線を容易に製作することができる。線材成形部Ａに凸状部があり、凸状部の天面が曲面である態様においても同様である。
【産業上の利用可能性】
【００３３】  様々なピッチのコの字状のジャンパ線を製作する場合においても、作業効率が高く、必要に応じて複数本のジャンパ線をまとめて製作可能なジャンパ線製作器を提供することができる。
【符号の説明】
【００３４】１  ハンドル
２  ハンドルベース
３  ドライバ
３ａ，３ｂ，  腕
３ａ１，３ｂ１  線材成形部Ａ
４  固定具
５  線材成形部Ｂ
５ｂ  溝
６  線材
【図１】
2019153765.tif 000003
【図２】
2019153765.tif 000004
【図３】
2019153765.tif 000005
【図４】
2019153765.tif 000006